(57)【要約】【課題】呼制御信号と情報信号とが異なる経路を経由するシステムにおいても、所望の加入者端末の情報信号を抽出する。【解決手段】保守端末１０９から加入者端末１０１−１から送信される情報信号のモニタ実行命令が加入者ＩＤと共にＨＳＳ１０８−１へ送信され、ＨＳＳ１０８−１にて加入者ＩＤを基に検索されたＣＳＣＦ１０７−１へ加入者ＩＤが送信され、ＣＳＣＦ１０７−１にて加入者ＩＤを基に検索されたＲＡＣＳ／ＰＣＲＦ１０６−１へ加入者ＩＤが送信され、ＲＡＣＳ／ＰＣＲＦ１０６−１にて加入者ＩＤを基に検索されたＡＧＷ１０４−１へ加入者ＩＤと加入者ＩＤを基に検索された物理ポート番号とＴＣＰ／ＵＤＰポート番号とが送信され、ＡＧＷ１０４−１にて物理ポート番号のポートとＴＣＰ／ＵＤＰポート番号のポートとを用いた情報信号が抽出されて加入者ＩＤと共にモニタ端末１１０へ送信される。【選択図】図１
2009130424.tif 000002
【特許請求の範囲】
【請求項１】
加入者が所持する加入者端末と接続し、前記加入者端末から送信される情報信号を所定の物理ポート及びＴＣＰ／ＵＤＰポートを用いて送受信する伝送装置と、複数の前記伝送装置と接続し、前記情報信号の帯域を管理し、前記物理ポートの番号及び前記ＴＣＰ／ＵＤＰポートの番号を前記伝送装置へ指示するネットワーク帯域管理装置と、複数の前記ネットワーク帯域管理装置と接続し、前記加入者端末から送信される呼制御信号にしたがって呼の設定を行う呼制御装置と、複数の前記呼制御装置と接続し、前記加入者端末を識別するための加入者識別情報と前記加入者端末に提供するサービスの内容とを記憶する加入者情報収容装置とを有し、前記呼制御信号と前記情報信号とが異なる経路を経由する情報通信システムにおいて、
前記加入者情報収容装置は、前記情報信号をモニタする命令とモニタの対象となる加入者端末を識別するための加入者識別情報とを送信する第１の端末と接続し、前記第１の端末から送信されてきた前記命令を受信した場合、前記第１の端末から送信されてきた前記加入者識別情報に基づいて前記呼制御装置を検索し、該検索された呼制御装置へ前記命令と前記加入者識別情報とを送信し、
前記呼制御装置は、前記命令を受信した場合、前記加入者情報収容装置から送信されてきた前記加入者識別情報に基づいて前記ネットワーク帯域管理装置を検索し、該検索されたネットワーク帯域管理装置へ前記命令と前記加入者識別情報とを送信し、
前記ネットワーク帯域管理装置は、前記命令を受信した場合、前記呼制御装置から送信されてきた前記加入者識別情報に基づいて前記伝送装置と前記情報信号が用いる物理ポートの番号及びＴＣＰ／ＵＤＰポートの番号とを検索し、該検索された伝送装置へ前記命令と前記加入者識別情報と前記物理ポートの番号と前記ＴＣＰ／ＵＤＰポートの番号とを送信し、
前記伝送装置は、前記命令を受信した場合、前記ネットワーク帯域管理装置から送信されてきた前記物理ポートの番号のポートと前記ＴＣＰ／ＵＤＰポートの番号のポートとを用いる情報信号を抽出し、該抽出した情報信号と前記加入者識別情報とを、当該伝送装置と接続された第２の端末へ送信することを特徴とする情報通信システム。
【請求項２】
請求項１に記載の情報通信システムにおいて、
前記ネットワーク帯域管理装置は、前記命令を受信した場合、前記呼制御装置から送信されてきた前記加入者識別情報に基づいて前記伝送装置と該伝送装置から前記情報信号が送信される物理ポートの番号及びＴＣＰ／ＵＤＰポートの番号とを検索し、
前記伝送装置は、前記命令を受信した場合、前記ネットワーク帯域管理装置から送信されてきた前記物理ポートの番号のポートと前記ＴＣＰ／ＵＤＰポートの番号のポートとから送信される情報信号を抽出することを特徴とする情報通信システム。
【請求項３】
請求項１に記載の情報通信システムにおいて、
前記ネットワーク帯域管理装置は、前記命令を受信した場合、前記呼制御装置から送信されてきた前記加入者識別情報に基づいて前記伝送装置と該伝送装置にて前記情報信号が受信される物理ポートの番号及びＴＣＰ／ＵＤＰポートの番号とを検索し、
前記伝送装置は、前記命令を受信した場合、前記ネットワーク帯域管理装置から送信されてきた前記物理ポートの番号のポートと前記ＴＣＰ／ＵＤＰポートの番号のポートとにて受信される情報信号を抽出することを特徴とする情報通信システム。
【請求項４】
請求項１に記載の情報通信システムにおいて、
前記伝送装置は、
前記命令を受信するネットワークインタフェース部と、
前記ネットワークインタフェース部にて前記命令を受信した場合、前記ネットワーク帯域管理装置から送信されてきた前記物理ポートの番号のポートと前記ＴＣＰ／ＵＤＰポートの番号のポートとを用いる情報信号を抽出する情報信号抽出部と、
前記情報信号抽出部にて抽出した情報信号と前記加入者識別情報とを、当該伝送装置と接続された第２の端末へ送信するモニタインタフェース部とを有することを特徴とする情報通信システム。
【請求項５】
請求項４に記載の情報通信システムにおいて、
前記情報信号抽出部は、前記ネットワークインタフェース部にて前記命令を受信した場合、前記ネットワーク帯域管理装置から送信されてきた前記物理ポートの番号のポートと前記ＴＣＰ／ＵＤＰポートの番号のポートとから送信される情報信号を抽出することを特徴とする情報通信システム。
【請求項６】
請求項４に記載の情報通信システムにおいて、
前記情報信号抽出部は、前記ネットワークインタフェース部にて前記命令を受信した場合、前記ネットワーク帯域管理装置から送信されてきた前記物理ポートの番号のポートと前記ＴＣＰ／ＵＤＰポートの番号のポートとにて受信される情報信号を抽出することを特徴とする情報通信システム。
【請求項７】
請求項１乃至６のいずれか１項に記載の情報通信システムにおいて、
前記第２の端末は、前記伝送装置から送信されてきた加入者識別情報と情報信号とを対応付けて記憶することを特徴とする情報通信システム。
【請求項８】
請求項１乃至６のいずれか１項に記載の情報通信システムにおいて、
前記第２の端末は、前記伝送装置から送信されてきた加入者識別情報を表示するとともに、前記情報信号を再生することを特徴とする情報通信システム。
【請求項９】
請求項１乃至８のいずれか１項に記載の情報通信システムにおいて、
前記第１の端末と前記第２の端末とは同一の端末であることを特徴とする情報通信システム。
【請求項１０】
加入者が所持する加入者端末から送信される情報信号を所定の物理ポート及びＴＣＰ／ＵＤＰポートを用いて送受信する伝送装置と接続し、前記情報信号の帯域を管理し、前記物理ポートの番号及び前記ＴＣＰ／ＵＤＰポートの番号を前記伝送装置へ指示するネットワーク帯域管理装置であって、
当該ネットワーク帯域管理装置と接続された呼制御装置から前記情報信号をモニタする命令を受信した場合、前記呼制御装置から送信されてきた前記加入者端末を識別するための加入者識別情報に基づいて前記伝送装置と前記情報信号が用いる物理ポートの番号及びＴＣＰ／ＵＤＰポートの番号とを検索し、該検索された伝送装置へ前記命令と前記加入者識別情報と前記物理ポートの番号と前記ＴＣＰ／ＵＤＰポートの番号とを送信するネットワーク帯域管理装置。
【請求項１１】
請求項１０に記載のネットワーク帯域管理装置において、
前記命令を受信した場合、前記呼制御装置から送信されてきた前記加入者端末を識別するための加入者識別情報に基づいて前記伝送装置と該伝送装置から前記情報信号が送信される物理ポートの番号及びＴＣＰ／ＵＤＰポートの番号とを検索することを特徴とするネットワーク帯域管理装置。
【請求項１２】
請求項１０に記載のネットワーク帯域管理装置において、
前記命令を受信した場合、前記呼制御装置から送信されてきた前記加入者端末を識別するための加入者識別情報に基づいて前記伝送装置と該伝送装置にて前記情報信号が受信される物理ポートの番号及びＴＣＰ／ＵＤＰポートの番号とを検索することを特徴とするネットワーク帯域管理装置。
【請求項１３】
加入者が所持する加入者端末と接続し、前記加入者端末から送信される情報信号を所定の物理ポート及びＴＣＰ／ＵＤＰポートを用いて送受信する伝送装置であって、
当該伝送装置と接続されたネットワーク帯域管理装置から前記情報信号をモニタする命令を受信した場合、前記ネットワーク帯域管理装置から送信されてきた物理ポートの番号のポートとＴＣＰ／ＵＤＰポートの番号のポートとを用いる情報信号を抽出し、該抽出した情報信号と前記ネットワーク帯域管理装置から送信されてきた前記加入者端末を識別するための加入者識別情報とを、当該伝送装置と接続された端末へ送信する伝送装置。
【請求項１４】
請求項１３に記載の伝送装置において、
前記命令を受信した場合、前記ネットワーク帯域管理装置から送信されてきた物理ポートの番号のポートとＴＣＰ／ＵＤＰポートの番号のポートとから送信される情報信号を抽出することを特徴とする伝送装置。
【請求項１５】
請求項１３に記載の伝送装置において、
前記命令を受信した場合、前記ネットワーク帯域管理装置から送信されてきた物理ポートの番号のポートとＴＣＰ／ＵＤＰポートの番号のポートとにて受信される情報信号を抽出することを特徴とする伝送装置。
【請求項１６】
請求項１３に記載の伝送装置において、
前記命令を受信するネットワークインタフェース部と、
前記ネットワークインタフェース部にて前記命令を受信した場合、前記ネットワーク帯域管理装置から送信されてきた物理ポートの番号のポートとＴＣＰ／ＵＤＰポートの番号のポートとを用いる情報信号を抽出する情報信号抽出部と、
前記情報信号抽出部にて抽出した情報信号と前記ネットワーク帯域管理装置から送信されてきた前記加入者端末を識別するための加入者識別情報とを、当該伝送装置と接続された端末へ送信するモニタインタフェース部とを有することを特徴とする伝送装置。
【請求項１７】
請求項１６に記載の伝送装置において、
前記情報信号抽出部は、前記ネットワークインタフェース部にて前記命令を受信した場合、前記ネットワーク帯域管理装置から送信されてきた物理ポートの番号のポートとＴＣＰ／ＵＤＰポートの番号のポートとから送信される情報信号を抽出することを特徴とする伝送装置。
【請求項１８】
請求項１６に記載の伝送装置において、
前記情報信号抽出部は、前記ネットワークインタフェース部にて前記命令を受信した場合、前記ネットワーク帯域管理装置から送信されてきた物理ポートの番号のポートとＴＣＰ／ＵＤＰポートの番号のポートとにて受信される情報信号を抽出することを特徴とする伝送装置。
【請求項１９】
加入者が所持する加入者端末と接続し、前記加入者端末から送信される情報信号を所定の物理ポート及びＴＣＰ／ＵＤＰポートを用いて送受信する伝送装置と、複数の前記伝送装置と接続し、前記情報信号の帯域を管理し、前記物理ポートの番号及び前記ＴＣＰ／ＵＤＰポートの番号を前記伝送装置へ指示するネットワーク帯域管理装置と、複数の前記ネットワーク帯域管理装置と接続し、前記加入者端末から送信される呼制御信号にしたがって呼の設定を行う呼制御装置と、複数の前記呼制御装置と接続し、前記加入者端末を識別するための加入者識別情報と前記加入者端末に提供するサービスの内容とを記憶する加入者情報収容装置とを有し、前記呼制御信号と前記情報信号とが異なる経路を経由する情報通信システムにおける情報信号モニタ方法であって、
前記加入者情報収容装置が、該加入者情報収容装置に接続された第１の端末から送信されてきた前記情報信号をモニタする命令を受信した場合、前記第１の端末から送信されてきたモニタの対象となる加入者端末を識別するための加入者識別情報に基づいて前記呼制御装置を検索する処理と、
前記加入者情報収容装置が、該検索された呼制御装置へ前記命令と前記加入者識別情報とを送信する処理と、
前記呼制御装置が、前記命令を受信した場合、前記加入者情報収容装置から送信されてきた前記加入者識別情報に基づいて前記ネットワーク帯域管理装置を検索する処理と、
前記呼制御装置が、前記検索されたネットワーク帯域管理装置へ前記命令と前記加入者識別情報とを送信する処理と、
前記ネットワーク帯域管理装置が、前記命令を受信した場合、前記呼制御装置から送信されてきた前記加入者識別情報に基づいて前記伝送装置と前記情報信号が用いる物理ポートの番号及びＴＣＰ／ＵＤＰポートの番号とを検索する処理と、
前記ネットワーク帯域管理装置が、前記検索された伝送装置へ前記命令と前記加入者識別情報と前記物理ポートの番号と前記ＴＣＰ／ＵＤＰポートの番号とを送信する処理と、
前記伝送装置が、前記命令を受信した場合、前記ネットワーク帯域管理装置から送信されてきた前記物理ポートの番号のポートと前記ＴＣＰ／ＵＤＰポートの番号のポートとを用いる情報信号を抽出する処理と、
前記伝送装置が、前記抽出した情報信号と前記加入者識別情報とを、当該伝送装置と接続された第２の端末へ送信する処理とを有する情報信号モニタ方法。
【請求項２０】
請求項１９に記載の情報信号モニタ方法において、
前記ネットワーク帯域管理装置が、前記命令を受信した場合、前記呼制御装置から送信されてきた前記加入者識別情報に基づいて前記伝送装置と該伝送装置から前記情報信号が送信される物理ポートの番号及びＴＣＰ／ＵＤＰポートの番号とを検索する処理と、
前記伝送装置が、前記命令を受信した場合、前記ネットワーク帯域管理装置から送信されてきた前記物理ポートの番号のポートと前記ＴＣＰ／ＵＤＰポートの番号のポートとから送信される情報信号を抽出する処理とを有することを特徴とする情報信号モニタ方法。
【請求項２１】
請求項１９に記載の情報信号モニタ方法において、
前記ネットワーク帯域管理装置が、前記命令を受信した場合、前記呼制御装置から送信されてきた前記加入者識別情報に基づいて前記伝送装置と該伝送装置にて前記情報信号が受信される物理ポートの番号及びＴＣＰ／ＵＤＰポートの番号とを検索する処理と、
前記伝送装置が、前記命令を受信した場合、前記ネットワーク帯域管理装置から送信されてきた前記物理ポートの番号のポートと前記ＴＣＰ／ＵＤＰポートの番号のポートとにて受信される情報信号を抽出する処理とを有することを特徴とする情報信号モニタ方法。
【請求項２２】
請求項１９乃至２１のいずれか１項に記載の情報信号モニタ方法において、
前記第２の端末が、前記伝送装置から送信されてきた加入者識別情報と情報信号とを対応付けて記憶する処理を有することを特徴とする情報信号モニタ方法。
【請求項２３】
請求項１９乃至２１のいずれか１項に記載の情報信号モニタ方法において、
前記第２の端末が、前記伝送装置から送信されてきた加入者識別情報を表示するとともに、前記情報信号を再生する処理を有することを特徴とする情報信号モニタ方法。
【請求項２４】
加入者が所持する加入者端末から送信される情報信号を所定の物理ポート及びＴＣＰ／ＵＤＰポートを用いて送受信する伝送装置と接続し、前記情報信号の帯域を管理し、前記物理ポートの番号及び前記ＴＣＰ／ＵＤＰポートの番号を前記伝送装置へ指示するネットワーク帯域管理装置に実行させるプログラムであって、
前記ネットワーク帯域管理装置と接続された呼制御装置から前記情報信号をモニタする命令を受信した場合、前記呼制御装置から送信されてきた前記加入者端末を識別するための加入者識別情報に基づいて前記伝送装置と前記情報信号が用いる物理ポートの番号及びＴＣＰ／ＵＤＰポートの番号とを検索する手順と、
該検索された伝送装置へ前記命令と前記加入者識別情報と前記物理ポートの番号と前記ＴＣＰ／ＵＤＰポートの番号とを送信する手順とを前記ネットワーク帯域管理装置に実行させるプログラム。
【請求項２５】
請求項２４に記載のプログラムにおいて、
前記命令を受信した場合、前記呼制御装置から送信されてきた前記加入者端末を識別するための加入者識別情報に基づいて前記伝送装置と該伝送装置から前記情報信号が送信される物理ポートの番号及びＴＣＰ／ＵＤＰポートの番号とを検索する手順をさらに前記ネットワーク帯域管理装置に実行させることを特徴とするプログラム。
【請求項２６】
請求項２４に記載のプログラムにおいて、
前記命令を受信した場合、前記呼制御装置から送信されてきた前記加入者端末を識別するための加入者識別情報に基づいて前記伝送装置と該伝送装置にて前記情報信号が受信される物理ポートの番号及びＴＣＰ／ＵＤＰポートの番号とを検索する手順をさらに前記ネットワーク帯域管理装置に実行させることを特徴とするプログラム。
【請求項２７】
加入者が所持する加入者端末と接続し、前記加入者端末から送信される情報信号を所定の物理ポート及びＴＣＰ／ＵＤＰポートを用いて送受信する伝送装置に実行させるプログラムであって、
前記伝送装置と接続されたネットワーク帯域管理装置から前記情報信号をモニタする命令を受信した場合、前記ネットワーク帯域管理装置から送信されてきた物理ポートの番号のポートとＴＣＰ／ＵＤＰポートの番号のポートとを用いる情報信号を抽出する手順と、
該抽出した情報信号と前記ネットワーク帯域管理装置から送信されてきた前記加入者端末を識別するための加入者識別情報とを、当該伝送装置と接続された端末へ送信する手順とを前記伝送装置に実行させるプログラム。
【請求項２８】
請求項２７に記載のプログラムにおいて、
前記命令を受信した場合、前記ネットワーク帯域管理装置から送信されてきた物理ポートの番号のポートとＴＣＰ／ＵＤＰポートの番号のポートとから送信される情報信号を抽出する手順をさらに前記伝送装置に実行させることを特徴とするプログラム。
【請求項２９】
請求項２７に記載のプログラムにおいて、
前記命令を受信した場合、前記ネットワーク帯域管理装置から送信されてきた物理ポートの番号のポートとＴＣＰ／ＵＤＰポートの番号のポートとにて受信される情報信号を抽出する手順をさらに前記伝送装置に実行させることを特徴とするプログラム。
【発明の詳細な説明】
【技術分野】
【０００１】
本発明は、呼制御信号と音声信号や映像信号等の情報信号とが異なる経路を経由する情報通信システム、ネットワーク帯域管理装置、伝送装置、当該情報通信システムにおける情報信号モニタ方法及びプログラムに関する。
【背景技術】
【０００２】
近年、既存の電話網に置き換わる次世代電話網（ＮＧＮ（Next Generation Network））の標準化がＩＴＵ−Ｔ（例えば、非特許文献１）や欧州のＥＴＳＩにて行われている。このＮＧＮでは、様々な多彩なサービスを提供することが可能となる。
【０００３】
このＮＧＮにおけるサービス提供プラットフォームとしてＩＭＳ（IP Multimedia Subsystem）やＭＭＤ（Multi-Media Domain）が挙げられる。
【０００４】
ＩＭＳは、標準化団体３ＧＰＰにて開発されており、携帯電話や無線ＬＡＮ機能を有する端末等、様々な端末に対して、それらが接続されるアクセス網に依存せずに、音声や映像を用いたマルチメディアサービスを提供することができるシステムである（例えば、非特許文献２参照。）。また、加入者がＩＭＳにアクセスするためのアクセスネットワークデータと予め設定されたアクセスネットワークデータとを比較することによって、当該加入者に対してＩＭＳにアクセスを与える方法が考えられている（例えば、特許文献１参照。）。
【０００５】
また、ＭＭＤは、標準化団体３ＧＰＰ２にて開発されており、ＩＭＳと同様に、様々な端末に対して、それらが接続されるアクセス網に依存せずに、音声や映像を用いたマルチメディアサービスを提供することができるシステムである（例えば、非特許文献３参照。）。
【０００６】
図１０は、一般的なＩＭＳ／ＭＭＤのシステム構成の例を示す図である。
【０００７】
図１０に示したＩＭＳ／ＭＭＤには、ＢＳ（Base Station）１００２−１，１００２−２と、ＡＰ（Access Point）１００３−１，１００３−２と、ＡＧＷ（Access Gateway）１００４−１，１００４−２と、ＮＡＳＳ（Network Attachment Sub-System）１００５−１，１００５−２と、ＲＡＣＳ（Resource and Admission Control Subsystem）／ＰＣＲＦ（Policy and Charging Rules Function）１００６−１，１００６−２と、ＣＳＣＦ（Call Session Control Function）１００７−１，１００７−２と、ＨＳＳ（Home Subscriber Server）１００８−１，１００８−２とが設けられている。また、ＢＳ１００２−１またはＡＰ１００３−１と加入者端末１００１−１とが無線を用いて接続されている。また、ＢＳ１００２−２またはＡＰ１００３−２と加入者端末１００１−２とが無線を用いて接続されている。
【０００８】
ＢＳ１００２−１，１００２−２は、無線を用いて加入者端末１００１−１，１００１−２とそれぞれ接続される無線基地局である。
【０００９】
ＡＰ１００３−１，１００３−２は、無線を用いて加入者端末１００１−１，１００１−２とそれぞれ接続されるアクセスポイントである。加入者端末１００１−１，１００１−２は、提供されるサービスに基づいて、ＢＳ１００２−１，１００２−２とＡＰ１００３−１，１００３−２とのどちらか一方に接続される。
【００１０】
ＡＧＷ１００４−１，１００４−２は、ＢＳ１００２−１，１００２−２またはＡＰ１００３−１，１００３−２を介して加入者端末１００１−１，１００１−２と接続され、加入者端末１００１−１，１００１−２から送信される情報信号を、ＲＡＣＳ／ＰＣＲＦ１００６−１，１００６−２からそれぞれ指示される物理ポート番号及びＴＣＰ／ＵＤＰポート番号のポートを用いて送受信する伝送装置である。
【００１１】
ＮＡＳＳ１００５−１，１００５−２は、複数のＡＧＷと接続され、加入者端末１００１−１，１００１−２の認証、ＩＰアドレスの払い出し等を行い、加入者端末１００１−１，１００１−２をネットワークに接続する際の一連の処理を行う。
【００１２】
ＲＡＣＳ／ＰＣＲＦ１００６−１，１００６−２は、複数のＡＧＷと接続され、情報信号が送受信されるための帯域を管理し、物理ポート番号及びＴＣＰ／ＵＤＰポート番号をＡＧＷ１００４−１，１００４−２へそれぞれ指示するネットワーク帯域管理装置である。
【００１３】
ＣＳＣＦ１００７−１，１００７−２は、複数のＲＡＣＳ／ＰＣＲＦと接続され、加入者端末１００１−１，１００１−２からそれぞれ送信される呼制御信号にしたがって呼の設定を行う呼制御装置である。
【００１４】
ＨＳＳ１００８−１，ＨＳＳ１００８−２は、複数のＣＳＣＦと接続され、ＩＭＳ／ＭＭＤに接続された加入者端末１００１−１，１００１−２を識別するための加入者識別情報と加入者端末１００１−１，１００１−２に提供するサービスの内容との加入者情報を記憶する加入者情報収容装置である。
【００１５】
ここで、情報信号とは、加入者端末１００１−１，１００１−２から送信される信号のうち呼制御を行うための呼制御信号以外のユーザデータである。つまり、送受信される音声信号や映像信号である。
【００１６】
上述したように構成されたＩＭＳ／ＭＭＤにおいては、加入者端末１００１−１から送信された呼制御信号は、ＢＳ１００２−１またはＡＰ１００３−１、ＡＧＷ１００４−１、ＣＳＣＦ１００７−１、ＣＦＣＳ１００７−２、ＡＧＷ１００４−２、ＢＳ１００２−２またはＡＰ１００３−２を経路として加入者端末１００１−２へ送られる。ここで、加入者端末１００１−１の加入者情報を認識しているのは、ＨＳＳ１００８−１，１００８−２、ＣＳＣＦ１００７−１，１００７−２、ＲＡＣＳ／ＰＣＲＦ１００６−１，１００６−２のみである。一方、情報信号は、加入者端末１００１−１から、ＢＳ１００２−１またはＡＰ１００３−１、ＡＧＷ１００４−１、ＡＧＷ１００４−２、ＢＳ１００２−２またはＡＰ１００３−２を経路として加入者端末１００１−２へ送られる。ＡＧＷ１００４−１，１００４−２にて、ＲＡＣＳ／ＰＣＲＦ１００６−１，１００６−２からそれぞれ指示された情報信号を送信するための物理ポート及びＴＣＰ／ＵＤＰポートから情報信号が送信される。
【００１７】
また、音声や映像を用いたサービスを保守していくために、音声や映像の品質が通信中にどの程度のものになっているか等を確認する必要がある。そのためには、通信中の音声信号や映像信号である情報信号を抽出（モニタ）する方法が用いられるものが一般的である。また、この方法を用いることにより、必要に応じて任意の加入者の情報信号をモニタすることも可能となる。
【非特許文献１】ＩＴＵ−Ｔ  Ｙ．２０１２“ Functional requirements and architecture of the NGN ”
【非特許文献２】３ＧＰＰ  ＴＳ２３．２２８“ IP Multimedia Subsystem (IMS) ; Stage 2 ”
【非特許文献３】３ＧＰＰ２  Ｘ．Ｓ００１３−００４“ IP Multimedia Call Control based on SIP and SDP; Stage 3 ”
【特許文献１】特開２００７−２５１９７７号公報
【発明の開示】
【発明が解決しようとする課題】
【００１８】
呼制御信号と情報信号とが同一の経路を経由する情報通信システムにおいては、所望の加入者端末から送信されている情報信号をモニタするために、当該加入者端末から送信された呼制御信号を捕捉することにより、情報信号をも捕捉することができる。
【００１９】
しかしながら、上述した呼制御信号と情報信号とが異なる経路を経由するＩＭＳ／ＭＭＤのようなＩＰ電話システムにおいては、情報信号が経由するＡＧＷ１００４−１が加入者端末１００１−１の情報を持っていないため、ＡＧＷ１００４−１にて加入者に応じた情報信号を識別することができないという問題点がある。これにより、ＡＧＷ１００４−１から所望の加入者の情報信号を抽出することができないという問題点がある。
【００２０】
本発明は、上述した課題を解決する情報通信システム、ネットワーク帯域管理装置、伝送装置、情報信号モニタ方法及びプログラムを提供することを目的とする。
【課題を解決するための手段】
【００２１】
上記目的を達成するために本発明は、
加入者が所持する加入者端末と接続し、前記加入者端末から送信される情報信号を所定の物理ポート及びＴＣＰ／ＵＤＰポートを用いて送受信する伝送装置と、
複数の前記伝送装置と接続し、前記情報信号の帯域を管理し、前記物理ポートの番号及び前記ＴＣＰ／ＵＤＰポートの番号を前記伝送装置へ指示するネットワーク帯域管理装置と、
複数の前記ネットワーク帯域管理装置と接続し、前記加入者端末から送信される呼制御信号にしたがって呼の設定を行う呼制御装置と、
複数の前記呼制御装置と接続し、前記加入者端末を識別するための加入者識別情報と前記加入者端末に提供するサービスの内容とを記憶する加入者情報収容装置とを有し、前記呼制御信号と前記情報信号とが異なる経路を経由する情報通信システムにおいて、
前記加入者情報収容装置は、前記情報信号をモニタする命令とモニタの対象となる加入者端末を識別するための加入者識別情報とを送信する第１の端末と接続し、前記第１の端末から送信されてきた前記命令を受信した場合、前記第１の端末から送信されてきた前記加入者識別情報に基づいて前記呼制御装置を検索し、該検索された呼制御装置へ前記命令と前記加入者識別情報とを送信し、
前記呼制御装置は、前記命令を受信した場合、前記加入者情報収容装置から送信されてきた前記加入者識別情報に基づいて前記ネットワーク帯域管理装置を検索し、該検索されたネットワーク帯域管理装置へ前記命令と前記加入者識別情報とを送信し、
前記ネットワーク帯域管理装置は、前記命令を受信した場合、前記呼制御装置から送信されてきた前記加入者識別情報に基づいて前記伝送装置と前記情報信号が用いる物理ポートの番号及びＴＣＰ／ＵＤＰポートの番号とを検索し、該検索された伝送装置へ前記命令と前記加入者識別情報と前記物理ポートの番号と前記ＴＣＰ／ＵＤＰポートの番号とを送信し、
前記伝送装置は、前記命令を受信した場合、前記ネットワーク帯域管理装置から送信されてきた前記物理ポートの番号のポートと前記ＴＣＰ／ＵＤＰポートの番号のポートとを用いる情報信号を抽出し、該抽出した情報信号と前記加入者識別情報とを、当該伝送装置と接続された第２の端末へ送信することを特徴とする。
【発明の効果】
【００２２】
以上説明したように本発明においては、第１の端末から加入者端末の情報信号のモニタ実行命令が当該加入者端末の加入者識別情報と共に送信され、加入者情報収容装置にて加入者識別情報に基づいて呼制御装置が検索され、検索された呼制御装置へ加入者識別情報が送信され、呼制御装置にて加入者識別情報に基づいてネットワーク帯域管理装置が検索され、検索されたネットワーク帯域管理装置へ加入者識別情報が送信され、ネットワーク帯域管理装置にて加入者識別情報に基づいて伝送装置と物理ポート番号とＴＣＰ／ＵＤＰポート番号とが検索され、検索された伝送装置へ加入者識別情報と物理ポート番号とＴＣＰ／ＵＤＰポート番号とが送信され、伝送装置にて物理ポート番号のポートとＴＣＰ／ＵＤＰポート番号のポートとを用いた情報信号が抽出され、加入者識別情報と抽出された情報信号とが伝送装置に接続された第２の端末へ送信される構成としたため、呼制御信号と情報信号とが異なる経路を経由するシステムにおいても、所望の加入者端末の情報信号を抽出することができる。
【発明を実施するための最良の形態】
【００２３】
以下に、本発明の実施の形態について図面を参照して説明する。
【００２４】
図１は、本発明の情報通信システムの実施の一形態を示す図である。本形態は、呼制御信号と情報信号とが異なる経路を経由するＩＭＳ／ＭＭＤのようなＩＰ電話システムにおけるものである。
【００２５】
本形態は図１に示すように、ＢＳ（Base Station）１０２−１，１０２−２と、ＡＰ（Access Point）１０３−１，１０３−２と、ＡＧＷ（Access Gateway）１０４−１，１０４−２と、ＮＡＳＳ（Network Attachment Sub-System）１０５−１，１０５−２と、ＲＡＣＳ（Resource and Admission Control Subsystem）／ＰＣＲＦ（Policy and Charging Rules Function）１０６−１，１０６−２と、ＣＳＣＦ（Call Session Control Function）１０７−１，１０７−２と、ＨＳＳ（Home Subscriber Server）１０８−１，１０８−２とが設けられている。これらの互いの接続形態はメッシュ構造となっている。また、ＢＳ１０２−１またはＡＰ１０３−１と加入者端末１０１−１とが無線を用いて接続されている。また、ＢＳ１０２−２またはＡＰ１０３−２と加入者端末１０１−２とが無線を用いて接続されている。また、ＨＳＳ１０８−１には、保守端末１０９が接続されている。また、ＡＧＷ１０４−１には、モニタ端末１１０が接続されている。
【００２６】
ここで、ＨＳＳ１０８−１と保守端末１０９との接続は、ネットワークを介しての接続であっても良いし、直接の接続であっても良い。また、ＡＧＷ１０４−１とモニタ端末１１０との接続も、ネットワークを介しての接続であっても良いし、直接の接続であっても良い。また、保守端末１０９とモニタ端末１１０とが同一の端末であっても良い。つまり、以下に述べる保守端末１０９が有する機能とモニタ端末１１０が有する機能とを有する１つの端末であってもかまわない。
【００２７】
ＢＳ１０２−１，１０２−２は、無線を用いて加入者端末１０１−１，１０１−２とそれぞれ接続される無線基地局である。
【００２８】
ＡＰ１０３−１，１０３−２は、無線を用いて加入者端末１０１−１，１０１−２とそれぞれ接続されるアクセスポイントである。加入者端末１０１−１，１０１−２は、提供されるサービスに基づいて、ＢＳ１０２−１，１０２−２とＡＰ１０３−１，１０３−２とのどちらか一方にそれぞれ接続される。
【００２９】
ＡＧＷ１０４−１，１０４−２は、ＢＳ１０２−１，１０２−２またはＡＰ１０３−１，１０３−２を介して加入者端末１０１−１，１０１−２と接続され、加入者端末１０１−１，１０１−２から送信される情報信号を、ＲＡＣＳ／ＰＣＲＦ１０６−１，１０６−２からそれぞれ指示される物理ポート番号及びＴＣＰ／ＵＤＰポート番号のポートを用いて送受信する伝送装置である。
【００３０】
ＮＡＳＳ１０５−１，１０５−２は、複数のＡＧＷと接続され、加入者端末１０１−１，１０１−２の認証、ＩＰアドレスの払い出し等を行い、加入者端末１０１−１，１０１−２をネットワークに接続する際の一連の処理を行う。
【００３１】
ＲＡＣＳ／ＰＣＲＦ１０６−１，１０６−２は、複数のＡＧＷと接続され、情報信号が送受信されるための帯域を制御し、物理ポート番号及びＴＣＰ／ＵＤＰポート番号をＡＧＷ１０４−１，１０４−２へそれぞれ指示するネットワーク帯域管理装置である。
【００３２】
ＣＳＣＦ１０７−１，１０７−２は、複数のＲＡＣＳ／ＰＣＲＦと接続され、加入者端末１０１−１，１０１−２からそれぞれ送信される呼制御信号にしたがって呼の設定を行う呼制御装置である。
【００３３】
ＨＳＳ１０８−１，ＨＳＳ１０８−２は、複数のＣＳＣＦと接続され、ＩＭＳ／ＭＭＤに接続された加入者端末１０１−１，１０１−２を識別するための加入者識別情報と加入者端末１０１−１，１０１−２に提供するサービスの内容との加入者情報を記憶する加入者情報収容装置である。また、加入者端末１０１−１，１０１−２の位置情報等の加入者情報も記憶する。
【００３４】
保守端末１０９は、ＨＳＳ１０８−１へ任意の加入者端末１０１−１の情報信号をモニタするための命令を行う第１の端末である。保守端末１０９は、ＨＳＳ１０８−１へ加入者の情報を書き込むための保守用の端末を併用してもかまわない。
【００３５】
モニタ端末１１０は、モニタされた情報信号を記憶または再生する第２の端末である。
【００３６】
ここで、情報信号とは、加入者端末１０１−１，１０１−２から送信される信号のうち呼制御を行うための呼制御信号以外のユーザデータである。つまり、送受信される音声信号や映像信号である。
【００３７】
上述したように構成されたＩＭＳ／ＭＭＤにおいては、加入者端末１０１−１から送信された呼制御信号は、ＢＳ１０２−１またはＡＰ１０３−１、ＡＧＷ１０４−１、ＣＳＣＦ１０７−１、ＣＦＣＳ１０７−２、ＡＧＷ１０４−２、ＢＳ１０２−２またはＡＰ１０３−２を経路として加入者端末１０１−２へ送られる。ここで、加入者端末１０１−１の加入者情報を認識しているのは、ＨＳＳ１０８−１，１０８−２、ＣＳＣＦ１０７−１，１０７−２、ＲＡＣＳ／ＰＣＲＦ１０６−１，１０６−２のみである。一方、情報信号は、加入者端末１０１−１から、ＢＳ１０２−１またはＡＰ１０３−１、ＡＧＷ１０４−１、ＡＧＷ１０４−２、ＢＳ１０２−２またはＡＰ１０３−２を経路として加入者端末１０１−２へ送られる。
【００３８】
このとき、加入者端末１０１−１，１０１−２が接続されたと認識された際に、ＲＡＣＳ／ＰＣＲＦ１０６−１，１０６−２にてＡＧＷ１０４−１，１０４−２の物理ポート及びＴＣＰ／ＵＤＰポートから空きのポートがそれぞれ検索され、検索された空きの物理ポート及びＴＣＰ／ＵＤＰポートの番号がＡＧＷ１０４−１，１０４−２へそれぞれ送信される。これによりＡＧＷ１０４−１，１０４−２にて、ＲＡＣＳ／ＰＣＲＦ１０６−１，１０６−２からそれぞれ送信された物理ポート番号及びＴＣＰ／ＵＤＰポート番号のポートを用いて情報信号が送受信される。
【００３９】
なお、加入者端末１０１−１，１０１−２は、固定端末であっても良く、その場合、有線を用いてＡＧＷ１０４−１，１０４−２とそれぞれ接続される。
【００４０】
また、図１においては、ＢＳ１０２−１，１０２−２、ＡＰ１０３−１，１０３−２、ＡＧＷ１０４−１，１０４−２、ＮＡＳＳ１０５−１，１０５−２、ＲＡＣＳ／ＰＣＲＦ１０６−１，１０６−２、ＣＳＣＦ１０７−１，１０７−２及びＨＳＳ１０８−１，１０８−２を説明の便宜上、それぞれ２台ずつ示しているが、３台以上の複数台であるものが一般的である。
【００４１】
以下に、図１に示した情報通信システムにおける情報信号モニタ方法について説明する。
【００４２】
図２は、図１に示した情報通信システムにおける情報信号モニタ方法を説明するためのシーケンス図である。
【００４３】
まず、保守者が保守端末１０９を用いてＨＳＳ１０８−１へ加入者状態の問い合わせを行うと（ステップＳ１）、ＨＳＳ１０８−１から加入者状態が送信される（ステップＳ２）。ここでの保守者による問い合わせ方法は、保守端末１０９がＨＳＳ１０８−１に接続され、所定の命令により問い合わせることができるものであり、具体的にはここでは規定しない。また、本問い合わせの信号形式についても、保守端末１０９とＨＳＳ１０８−１とが認識できる信号であれば良く、具体的な信号形式についてはここでは規定しない。
【００４４】
ＨＳＳ１０８−１から送信された加入者状態が保守端末１０９にて受信されると、受信された加入者状態が一覧となって保守端末１０９にて表示される（ステップＳ３）。
【００４５】
図３は、図１に示した保守端末１０９に表示された加入者状態一覧の一例である。
【００４６】
図３に示すように、図１に示した保守端末１０９には、加入者端末に付与された識別可能な加入者端末識別情報である加入者ＩＤと、加入者端末の状態と、加入者端末が受けられるサービス内容とが対応付けられて表示される。
【００４７】
例えば、加入者ＩＤ「０９０−１１１１−１１１１」と、状態「通話中」と、サービス内容「音声通話」とが対応付けられて表示される。これは、加入者ＩＤが「０９０−１１１１−１１１１」である加入者端末が、現在通話中であり、音声通話のサービスを受けることが可能であるということである。また、加入者ＩＤ「０９０−２２２２−２２２２」が表示されており、状態及びサービス内容は表示されていない。これは、加入者ＩＤが「０９０−２２２２−２２２２」である加入者端末が、位置登録されているが通話は開始されていないということである。また、加入者ＩＤ「０９０−３３３３−３３３３」と、状態「通話中」と、サービス内容「テレビ通話」とが対応付けられて表示される。これは、加入者ＩＤが「０９０−３３３３−３３３３」である加入者端末が、現在通話中であり、テレビ電話のサービスを受けることが可能であるということである。
【００４８】
なお、上述した電話番号は、説明の便宜上の電話番号であり、実在する電話番号やサービス内容を例に挙げたものではない。
【００４９】
また、上述した保守端末１０９に表示される加入者状態一覧は、ＨＳＳ１０８−１に記憶されているものであり、それぞれが対応付けられた状態で記憶されていることは言うまでもない。
【００５０】
ここで、加入者ＩＤは、加入者端末の電話番号である場合を例に挙げて説明したが、加入者端末が識別できるものであれば、他の固有な加入者端末識別情報であっても良い。例えば、加入者端末に付与された電子メールアドレスや、ＵＲＬ（Uniform Resource Locator）等の識別情報であってもかまわない。
【００５１】
また、保守端末１０９には、加入者状態と共に、加入者端末を選択するための表示もされる。例えば、図３に示すように、各加入者ＩＤそれぞれにラジオボタンが表示され、表示されたラジオボタンのいずれかを保守者が選択することにより、選択されたラジオボタンに対応付けられた加入者ＩＤを有する加入者端末がモニタ対象であることが認識される。ラジオボタンではなく、チェックボックスが表示され、所望の加入者端末の加入者ＩＤに対応付けられたチェックボックスを選択するものであっても良い。また、所望の加入者端末の加入者ＩＤを選択（クリック）することにより、選択された加入者ＩＤを有する加入者端末がモニタ対象であることが認識されるものであっても良い。
【００５２】
さらに、保守端末１０９には図３に示すように、選択した加入者端末の情報信号のモニタを開始するタイミングを指示するボタンが設けられているものであっても良い。
【００５３】
上述した方法により、所望の加入者端末が選択されることにより、モニタの実行命令が行われ（ステップＳ４）、当該モニタ実行命令が保守端末１０９からＨＳＳ１０８−１へ送信される（ステップＳ５）。このとき、選択された加入者ＩＤがモニタ実行命令とともに送信される。
【００５４】
このように、保守端末１０９に表示された加入者状態の一覧から所望の加入者端末が選択される、または選択後モニタを開始するタイミングを指示するボタンが選択されることにより、モニタ命令が実行されるものであっても良い。また、モニタ実行命令の時刻、つまりモニタ開始の時刻を指定（予約）できるものであっても良い。この予約機能については、ステップＳ３の表示時に、時刻を入力できる欄が同時に表示され、その欄に所望のモニタ開始時刻を入力することにより、命令実行の開始時刻が指定されるものであっても良い。
【００５５】
保守端末１０９からＨＳＳ１０８−１へ送信されたモニタ実行命令と加入者ＩＤとがＨＳＳ１０８−１にて受信され、ＨＳＳ１０８−１にて受信された信号がモニタ実行命令であると判断されると、受信された加入者ＩＤに基づいてＣＳＣＦ１０７−１が検索される（ステップＳ６）。受信された信号がモニタ実行命令であるかどうかは、モニタ実行命令の信号形式を予め設定しておくことにより、判断できる。また、検索については、本システム構造が上述したようにメッシュ構造となっており、ＨＳＳ１０８−１に複数のＣＳＣＦが接続されているため、ＨＳＳ１０８−１に接続されている複数のＣＳＣＦの中から呼設定時に加入者端末１０１−１の呼制御信号を処理しているＣＳＣＦ１０７−１が検索される。
【００５６】
図４は、図１に示したＨＳＳ１０８−１に記憶されている加入者ＩＤとＣＳＣＦ番号との対応付け情報の一例である。
【００５７】
図４に示すように図１に示したＨＳＳ１０８−１には、加入者ＩＤとＣＳＣＦ番号とが対応付けられて記憶されている。
【００５８】
加入者ＩＤは、保守端末１０９に表示されたものと同じである。また、ＣＳＣＦ番号は、ＨＳＳ１０８−１に接続されたＣＳＣＦそれぞれに識別可能に付与された番号（識別情報）である。
【００５９】
図４に示すように、加入者ＩＤ「０９０−１１１１−１１１１」と、ＣＳＣＦ番号「Ｃ−００１」とが対応付けられて記憶されている。これは、加入者ＩＤが「０９０−１１１１−１１１１」である加入者端末の呼制御信号を処理するＣＳＣＦの番号が「Ｃ−００１」であることを示している。また、加入者ＩＤ「０９０−２２２２−２２２２」と、ＣＳＣＦ番号「Ｃ−００２」とが対応付けられて記憶されている。これは、加入者ＩＤが「０９０−２２２２−２２２２」である加入者端末の呼制御信号を処理するＣＳＣＦの番号が「Ｃ−００２」であることを示している。また、加入者ＩＤ「０９０−３３３３−３３３３」と、ＣＳＣＦ番号「Ｃ−００３」とが対応付けられて記憶されている。これは、加入者ＩＤが「０９０−３３３３−３３３３」である加入者端末の呼制御信号を処理するＣＳＣＦの番号が「Ｃ−００３」であることを示している。
【００６０】
例えば、モニタ実行命令と共に送信されてきた加入者ＩＤが「０９０−３３３３−３３３３」である場合、ＣＳＣＦ番号が「Ｃ−００３」であるＣＳＣＦが検索される。以下、ＣＳＣＦ番号が「Ｃ−００３」が図１に示したＣＳＣＦ１０７−１であるとする。
【００６１】
加入者ＩＤに基づいてＣＳＣＦ１０７−１が検索されると、検索されたＣＳＣＦ１０７−１へモニタ実行命令と加入者ＩＤとが送信される（ステップＳ７）。
【００６２】
ＨＳＳ１０８−１からＣＳＣＦ１０７−１へ送信されたモニタ実行命令と加入者ＩＤとがＣＳＣＦ１０７−１にて受信され、ＣＳＣＦ１０７−１にて受信された信号がモニタ実行命令であると判断されると、受信された加入者ＩＤに基づいてＲＡＣＳ／ＰＣＲＦ１０６−１が検索される（ステップＳ８）。受信された信号がモニタ実行命令であるかどうかは、モニタ実行命令の信号形式を予め設定しておくことにより、判断できる。また、検索については、本システム構造が上述したようにメッシュ構造となっており、ＣＳＣＦ１０７−１に複数のＲＡＣＳ／ＰＣＲＦが接続されているため、ＣＳＣＦ１０７−１に接続されている複数のＲＡＣＳ／ＰＣＲＦの中から呼設定時に加入者端末１０１−１の使用する帯域を制御しているＲＡＣＳ／ＰＣＲＦ１０６−１が検索される。
【００６３】
図５は、図１に示したＣＳＣＦ１０７−１に記憶されている加入者ＩＤとＲＡＣＳ／ＰＣＲＦ番号との対応付け情報の一例である。
【００６４】
図５に示すように図１に示したＣＳＣＦ１０７−１には、加入者ＩＤとＣＳＣＦ番号とが対応付けられて記憶されている。
【００６５】
加入者ＩＤは、保守端末１０９に表示されたものと同じである。また、ＲＡＣＳ／ＰＣＲＦ番号は、ＣＳＣＦ１０７−１に接続されたＲＡＣＳ／ＰＣＲＦそれぞれに識別可能に付与された番号（識別情報）である。
【００６６】
図５に示すように、加入者ＩＤ「０９０−１１１１−１１１１」と、ＲＡＣＳ／ＰＣＲＦ番号「Ｒ−００１」とが対応付けられて記憶されている。これは、加入者ＩＤが「０９０−１１１１−１１１１」である加入者端末の使用する帯域を制御するＲＡＣＳ／ＰＣＲＦの番号が「Ｒ−００１」であることを示している。また、加入者ＩＤ「０９０−２２２２−２２２２」と、ＲＡＣＳ／ＰＣＲＦ番号「Ｒ−００２」とが対応付けられて記憶されている。これは、加入者ＩＤが「０９０−２２２２−２２２２」である加入者端末の使用する帯域を制御するＲＡＣＳ／ＰＣＲＦの番号が「Ｒ−００２」であることを示している。また、加入者ＩＤ「０９０−３３３３−３３３３」と、ＲＡＣＳ／ＰＣＲＦ番号「Ｒ−００３」とが対応付けられて記憶されている。これは、加入者ＩＤが「０９０−３３３３−３３３３」である加入者端末の使用する帯域を制御するＲＡＣＳ／ＰＣＲＦの番号が「Ｒ−００３」であることを示している。
【００６７】
例えば、モニタ実行命令と共に送信されてきた加入者ＩＤが「０９０−３３３３−３３３３」である場合、ＲＡＣＳ／ＰＣＲＦ番号が「Ｒ−００３」であるＲＡＣＳ／ＰＣＲＦが検索される。以下、ＲＡＣＳ／ＰＣＲＦ番号が「Ｒ−００３」が図１に示したＲＡＣＳ／ＰＣＲＦ１０６−１であるとする。
【００６８】
加入者ＩＤに基づいてＲＡＣＳ／ＰＣＲＦ１０６−１が検索されると、検索されたＲＡＣＳ／ＰＣＲＦ１０６−１へモニタ実行命令と加入者ＩＤとが送信される（ステップＳ９）。
【００６９】
ＣＳＣＦ１０７−１からＲＡＣＳ／ＰＣＲＦ１０６−１へ送信されたモニタ実行命令と加入者ＩＤとがＲＡＣＳ／ＰＣＲＦ１０６−１にて受信され、ＲＡＣＳ／ＰＣＲＦ１０６−１にて受信された信号がモニタ実行命令であると判断されると、受信された加入者ＩＤに基づいてＡＧＷ１０４−１、物理ポート番号及びＴＣＰ／ＵＤＰポート番号が検索される（ステップＳ１０）。受信された信号がモニタ実行命令であるかどうかは、モニタ実行命令の信号形式を予め設定しておくことにより、判断できる。また、ＡＧＷ１０４−１の検索については、本システム構造が上述したようにメッシュ構造となっており、ＲＡＣＳ／ＰＣＲＦ１０６−１に複数のＡＧＷが接続されているため、ＲＡＣＳ／ＰＣＲＦ１０６−１に接続されている複数のＡＧＷの中から加入者端末１０１−１から送信される情報信号が経由するＡＧＷ１０４−１が検索される。また、物理ポート番号及びＴＣＰ／ＵＤＰポート番号の検索については、ＡＧＷ１０４−１が有する物理ポート及びＴＣＰ／ＵＤＰポートの中から、加入者端末１０１−１の情報信号を送受信する物理ポート及びＴＣＰ／ＵＤＰポートのそれぞれの番号が検索される。検索される番号は、加入者端末１０１−１から送信された情報信号をＡＧＷ１０４−１にて受信する物理ポート及びＴＣＰ／ＵＤＰポートの番号であっても良い。または、ＡＧＷ１０４−１にて受信された加入者端末１０１−１から送信された情報信号をＡＧＷ１０４−２へ送信する物理ポート及びＴＣＰ／ＵＤＰポートの番号であっても良い。この物理ポート番号及びＴＣＰ／ＵＤＰポート番号は、呼設定時にＡＧＷ１０４−１の空いている物理ポート及びＴＣＰ／ＵＤＰポートがＲＡＣＳ／ＰＣＲＦ１０６−１によって検索されて決定されたものである。
【００７０】
図６は、図１に示したＲＡＣＳ／ＰＣＲＦ１０６−１に記憶されている加入者ＩＤとＡＧＷ番号と物理ポート番号とＴＣＰ／ＵＤＰポート番号との対応付け情報の一例である。この対応付け情報は、呼設定時に記憶されるものである。
【００７１】
図６に示すように図１に示したＲＡＣＳ／ＰＣＲＦ１０６−１には、加入者ＩＤとＡＧＷ番号と物理ポート番号とＴＣＰ／ＵＤＰポート番号とが対応付けられて記憶されている。
【００７２】
加入者ＩＤは、保守端末１０９に表示されたものと同じである。また、ＡＧＷ番号は、ＲＡＣＳ／ＰＣＲＦ１０６−１に接続されたＡＧＷそれぞれに識別可能に付与された番号（識別情報）である。また、物理ポート番号は、ＡＧＷにそれぞれ設けられた物理層のＬ１ポートの番号である。また、ＴＣＰ／ＵＤＰポート番号は、ＡＧＷにそれぞれ設けられたトランスポート層のＬ４ポートの番号である。
【００７３】
図６に示すように、加入者ＩＤ「０９０−１１１１−１１１１」と、ＡＧＷ番号「Ａ−００１」と、物理ポート番号「１」と、ＴＣＰ／ＵＤＰポート番号「１０２４」とが対応付けられて記憶されている。これは、加入者ＩＤが「０９０−１１１１−１１１１」である加入者端末の情報信号を送信するＡＧＷの番号が「Ａ−００１」であり、そのＡＧＷの物理ポート番号が「１」であり且つＴＣＰ／ＵＤＰポート番号が「１０２４」であるポートを用いて情報信号が送受信されることを示している。また、加入者ＩＤ「０９０−２２２２−２２２２」と、ＡＧＷ番号「Ａ−００２」と、物理ポート番号「２」と、ＴＣＰ／ＵＤＰポート番号「７１８５」とが対応付けられて記憶されている。これは、加入者ＩＤが「０９０−２２２２−２２２２」である加入者端末の情報信号を送信するＡＧＷの番号が「Ａ−００２」であり、そのＡＧＷの物理ポート番号が「２」であり且つＴＣＰ／ＵＤＰポート番号が「７１８５」であるポートを用いて情報信号が送受信されることを示している。また、加入者ＩＤ「０９０−３３３３−３３３３」と、ＡＧＷ番号「Ａ−００３」と、物理ポート番号「３」と、ＴＣＰ／ＵＤＰポート番号「６７２６」とが対応付けられて記憶されている。これは、加入者ＩＤが「０９０−３３３３−３３３３」である加入者端末の情報信号を送信するＡＧＷの番号が「Ａ−００３」であり、そのＡＧＷの物理ポート番号が「３」であり且つＴＣＰ／ＵＤＰポート番号が「６７２６」であるポートを用いて情報信号が送受信されることを示している。
【００７４】
例えば、モニタ実行命令と共に送信されてきた加入者ＩＤが「０９０−３３３３−３３３３」である場合、ＡＧＷ番号が「Ａ−００３」であるＡＧＷが検索される。また、物理番号は「３」であり、ＴＣＰ／ＵＤＰポート番号が「６７２６」であることが検索される。以下、ＡＧＷ番号が「Ａ−００３」が図１に示したＡＧＷ１０４−１であるとする。
【００７５】
加入者ＩＤに基づいてＡＧＷ１０４−１と物理ポート番号とＴＣＰ／ＵＤＰポート番号とが検索されると、モニタ実行命令と加入者ＩＤと検索された物理ポート番号及びＴＣＰ／ＵＤＰポート番号とがＲＡＣＳ／ＰＣＲＦ１０６−１から検索されたＡＧＷ１０４−１へ送信される（ステップＳ１１）。
【００７６】
図７は、図１に示したＡＧＷ１０４−１の構成例を示す図である。
【００７７】
図１に示したＡＧＷ１０４−１には図７に示すように、ユーザインタフェース部１４１と、ネットワークインタフェース部１４２と、情報信号抽出部１４３と、モニタインタフェース部１４４とが設けられている。
【００７８】
ユーザインタフェース部１４１は、ＢＳ１０２−１及びＡＰ１０３−１と接続され、ＢＳ１０２−１またはＡＰ１０３−１を介して加入者端末１０１−１との間で呼制御信号及び情報信号の送受信を行う。
【００７９】
ネットワークインタフェース部１４２は、ＮＡＳＳ１０５−１、ＲＡＣＳ／ＰＣＲＦ１０６−１及びＣＳＣＦ１０７−１と接続され、それぞれとの間にて呼制御信号の送受信を行う。また、所定の物理ポート及びＴＣＰ／ＵＤＰポートを用いてＡＧＷ１０４−２と接続され、ＡＧＷ１０４−２との間にて情報信号の送受信を行う。
【００８０】
情報信号抽出部１４３は、ネットワークインタフェース部１４２にて受信された信号の中からモニタ実行命令を認識し、モニタ実行命令を認識した場合、ネットワークインタフェース部１４２にて受信された物理ポート番号及びＴＣＰ／ＵＤＰポート番号に基づいて、ＡＧＷ１０４−１が送信する情報信号を抽出（コピー）する。
【００８１】
モニタインタフェース部１４４は、情報信号抽出部１４３にて抽出された情報信号を、モニタ端末１１０へ送信する。
【００８２】
なお、図７に示した構成要素は、本発明に関わるもののみを示した。また、図１に示したＡＧＷ１０４−２の構成については、図７に示したＡＧＷ１０４−１の構成と同じである。
【００８３】
ステップＳ１１にてモニタ実行命令と加入者ＩＤと物理ポート番号及びＴＣＰ／ＵＤＰポート番号とがＲＡＣＳ／ＰＣＲＦ１０６−１からＡＧＷ１０４−１へ送信されると、ＡＧＷ１０４−１のネットワークインタフェース部１４２にてそれぞれが受信される。そして、情報信号抽出部１４３にてモニタ実行命令が認識され、受信された物理ポート番号及びＴＣＰ／ＵＤＰポート番号を用いて送受信される加入者端末１０１−１から送信された情報信号が抽出（コピー）される（ステップＳ１２）。
【００８４】
具体的には、加入者端末１０１−１から送信された情報信号が受信される物理ポート番号及びＴＣＰ／ＵＤＰポート番号が検索された場合、当該ポート番号のポートにて受信された情報信号が抽出される。または、加入者端末１０１−１から送信された情報信号がＡＧＷ１０４−１から送信される物理ポート番号及びＴＣＰ／ＵＤＰポート番号が検索された場合、当該ポート番号のポートから送信される信号が抽出される。
【００８５】
情報信号抽出部１４３にて情報信号が抽出されると、抽出された情報信号がネットワークインタフェース部１４２にて受信された加入者ＩＤと共にモニタインタフェース部１４４からモニタ端末１１０へ送信される（ステップＳ１３）。
【００８６】
ＡＧＷ１０４−１から加入者ＩＤと情報信号とがモニタ端末１１０へ送信されると、モニタ端末１１０にて、受信された加入者ＩＤと情報信号とが再生される（ステップＳ１４）。このとき再生と同時に、加入者ＩＤと情報信号とがモニタ端末１１０に記憶されるものであっても良い。また、加入者ＩＤと情報信号とが再生されず、モニタ端末１１０に記憶されるだけであっても良い。
【００８７】
図８は、加入者ＩＤと情報信号とが再生された際のモニタ端末１１０の表示の一例を示す図である。
【００８８】
図８に示すようにモニタ端末１１０に加入者ＩＤ「０９０−３３３３−３３３３」と、情報信号である映像信号と音声信号とが再生される。これにより、加入者端末１０１−１から送信された情報信号をモニタ端末１１０にて確認することができる。
【００８９】
また、各装置間にて送受信されるモニタ実行命令の信号形式については、既存のＳＩＰ／Ｄｉａｍｅｔｅｒ／ＭＥＧＡＣＯ  ＩＦを用いて、それらの使用可能なフィールドを使ったものであっても良く、ここでは特に規定しない。
【００９０】
図９は、Ｄｉａｍｅｔｅｒの信号形式の一例を示す図である。
【００９１】
Ｄｉａｍｅｔｅｒの信号は図９に示すように、各フィールドが定められており、図９に示した属性名が「User-Data」であるフィールドが任意に使用可能となっている。「User-Data」にモニタ実行命令を所定の形式で挿入することにより、各装置にてモニタ実行命令を認識することができる。なお、このＤｉａｍｅｔｅｒの信号形式は、ＩＥＴＦが発行したＲＦＣ３５８８にて標準化されている。また、Ｄｉａｍｅｔｅｒに限らず、既存の信号の任意に使用できるフィールドを用いるものであれば良い。
【００９２】
なお、図２に示すＲＡＣＳ／ＰＣＲＦ１０６−１及びＡＧＷ１０４−１の処理は、目的に応じて作製された論理回路で行うようにしても良い。また、処理内容を記述したプログラムをＲＡＣＳ／ＰＣＲＦ１０６−１及びＡＧＷ１０４−１にて読取可能な記録媒体に記録し、この記録媒体に記録されたプログラムをＲＡＣＳ／ＰＣＲＦ１０６−１及びＡＧＷ１０４−１に読み込ませ、実行するものであっても良い。ＲＡＣＳ／ＰＣＲＦ１０６−１及びＡＧＷ１０４−１にて読取可能な記録媒体とは、フロッピーディスク（登録商標）、光磁気ディスク、ＤＶＤ、ＣＤなどの移設可能な記録媒体の他、ＲＡＣＳ／ＰＣＲＦ１０６−１及びＡＧＷ１０４−１に内蔵されたＨＤＤ等を指す。この記録媒体に記録されたプログラムは、ＲＡＣＳ／ＰＣＲＦ１０６−１及びＡＧＷ１０４−１内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００９３】
【図１】本発明の情報通信システムの実施の一形態を示す図である。
【図２】図１に示した情報通信システムにおける情報信号モニタ方法を説明するためのシーケンス図である。
【図３】図１に示した保守端末に表示された加入者状態一覧の一例である。
【図４】図１に示したＨＳＳに記憶されている加入者ＩＤとＣＳＣＦ番号との対応付け情報の一例である。
【図５】図１に示したＣＳＣＦに記憶されている加入者ＩＤとＲＡＣＳ／ＰＣＲＦ番号との対応付け情報の一例である。
【図６】図１に示したＲＡＣＳ／ＰＣＲＦに記憶されている加入者ＩＤとＡＧＷ番号と物理ポート番号とＴＣＰ／ＵＤＰポート番号との対応付け情報の一例である。
【図７】図１に示したＡＧＷの構成例を示す図である。
【図８】加入者ＩＤと情報信号とが再生された際のモニタ端末の表示の一例を示す図である。
【図９】Ｄｉａｍｅｔｅｒの信号形式の一例を示す図である。
【図１０】一般的なＩＭＳ／ＭＭＤのシステム構成の例を示す図である。
【符号の説明】
【００９４】
１０１−１，１０１−２    加入者端末
１０２−１，１０２−２    ＢＳ
１０３−１，１０３−２    ＡＰ
１０４−１，１０４−２    ＡＧＷ
１０５−１，１０５−２    ＮＡＳＳ
１０６−１，１０６−２    ＲＡＣＳ／ＰＣＲＦ
１０７−１，１０７−２    ＣＳＣＦ
１０８−１，１０８−２    ＨＳＳ
１０９    保守端末
１１０    モニタ端末
１４１    ユーザインタフェース部
１４２    ネットワークインタフェース部
１４３    情報信号抽出部
１４４    モニタインタフェース部
【図１】
2009130424.tif 000003
【図２】
2009130424.tif 000004
【図３】
2009130424.tif 000005
【図４】
2009130424.tif 000006
【図５】
2009130424.tif 000007
【図６】
2009130424.tif 000008
【図７】
2009130424.tif 000009
【図８】
2009130424.tif 000010
【図９】
2009130424.tif 000011
【図１０】
2009130424.tif 000012